(57)【要約】本発明は、波状生理信号収集装置及生理信号収集マットレスに関する。その装置は、波状フレキシブル体、引張力センサー及び信号処理ユニットを含み、前記波状フレキシブル体はフレキシブル基板及び凸フレキシブル体を含み、前記凸フレキシブル体がフレキシブル基板上に設置され、人体から受けた圧力を引張力に変換するものであり、前記引張力センサーがフレキシブル基板の中に設置され、前記引張力により電気信号を生成するものであり、前記信号処理ユニットは、前記電気信号を処理することにより人体の生理信号を得られる。本発明は、波状フレキシブル体により人体圧力を電気信号に変換し処理を行うことで、人体の皮膚と直接接触する形ではない方式で日常生活でも人体の生理信号を取得することができ、生理信号の取得はより便利となる。【選択図】図１
2014529448.tif 000002
【特許請求の範囲】
【請求項１】
波状フレキシブル体、引張力センサー及び信号処理ユニットを含み、
前記波状フレキシブル体はフレキシブル基板及び凸フレキシブル体を含み、
前記凸フレキシブル体は前記フレキシブル基板上に設置され、人体から受けた圧力を引張力に変換するものであり、
前記引張力センサーは前記フレキシブル基板の中に設置され、前記引張力により電気信号を生成するものであり、
前記信号処理ユニットは、前記電気信号を処理することにより人体の生理信号を得ることができるものであることを特徴とする波状生理信号収集装置。
【請求項２】
前記凸フレキシブル体のそれぞれが、前記フレキシブル基板の上底面及び下底面に間隔をおいて設置され、波状フレキシブル基板を形成していることを特徴とする請求項１に記載の波状生理信号収集装置。
【請求項３】
前記引張力センサーが二つの前記凸フレキシブル体の間である離隔エリアに位置していることを特徴とする請求項２に記載の波状生理信号収集装置。
【請求項４】
前記信号処理ユニットは、
前記アナログ電気信号を増幅させるための信号増幅回路と、
増幅されたアナログ電気信号に対しフィルター処理を行い、必要とする人体の生理信号を取得するためのフィルター回路と、
フィルター処理されたアナログ電気信号をディジタル信号に変換するためのＡ／Ｄ変換回路とを含むことを特徴とする請求項１に記載の波状生理信号収集装置。
【請求項５】
前記装置は、前記ディジタル信号を無線パススルーにより出力するための無線パススルー回路をさらに含むことを特徴とする請求項１に記載の波状生理信号収集装置。
【請求項６】
前記装置は、電源を供給するための電源ユニットと、前記電源ユニットを管理するための電源管理ユニットとをさらに含むことを特徴とする請求項１に記載の波状生理信号収集装置。
【請求項７】
前記電源ユニットはバッテリーを含むことを特徴とする請求項６に記載の波状生理信号収集装置。
【請求項８】
少なくとも二つの波状生理信号収集装置及び無線パススルー回路を含み、
前記波状生理信号収集装置は、波状フレキシブル体、引張力センサー及び信号処理ユニットを含み、
前記波状フレキシブル体は、フレキシブル基板及び凸フレキシブル体を含み、
前記凸フレキシブル体は、前記フレキシブル基板上に設置され、人体から受けた圧力を引張力に変換するものであり、
前記引張力センサーは、前記フレキシブル基板の中に設置され、前記引張力により電気信号を生成するものであり、
前記信号処理ユニットは、前記電気信号を処理することにより人体の生理信号を得ることができるものであり、
前記無線パススルー回路は、前記ディジタル信号を無線パススルーにより出力するためのものであることを特徴とする生理信号収集マットレス。
【請求項９】
前記凸フレキシブル体のそれぞれが、前記フレキシブル基板の上底面及び下底面に間隔をおいて設置され、波状フレキシブル基板を形成していることを特徴とする請求項８に記載の生理信号収集マットレス。
【請求項１０】
前記引張力センサーが二つの前記凸フレキシブル体の間である離隔エリアに位置していることを特徴とする請求項９に記載の生理信号収集マットレス。
【請求項１１】
少なくとも二つの波状生理信号収集装置及び無線パススルー回路を含み、
前記波状生理信号収集装置は、波状フレキシブル体、引張力センサー及び信号処理ユニットを含み、
前記波状フレキシブル体は、フレキシブル基板及び凸フレキシブル体を含み、
前記凸フレキシブル体は、前記フレキシブル基板上に設置され、人体から受けた圧力を引張力に変換するものであり、
前記引張力センサーは、前記フレキシブル基板の中に設置され、前記引張力により電気信号を生成するものであり、
前記信号処理ユニットは、前記電気信号を処理することにより人体の生理信号を得ることができるものであり、
前記波状フレキシブル体は、前記フレキシブル基板及び凸フレキシブル体が一体成型されて一体化されたものであり、
前記フレキシブル基板は、細長い形状であり、少なくとも上底面及び下底面を備え、前記凸フレキシブル体のそれぞれが前記上底面及び下底面に設置され、
前記無線パススルー回路は、前記ディジタル信号を無線パススルーにより出力することを特徴とする生理信号収集マットレス。
【請求項１２】
前記凸フレキシブル体のそれぞれが前記フレキシブル基板の上底面及び下底面に間隔をおいて設置され、波状フレキシブル基板を形成していることを特徴とする請求項１１に記載の生理信号収集マットレス。
【請求項１３】
前記引張力センサーが二つの凸フレキシブル体の間である離隔エリアに位置していることを特徴とする請求項１２に記載の生理信号収集マットレス。
【発明の詳細な説明】
【技術分野】
【０００１】
本発明は、生理信号収集領域に関し、特に波状生理信号収集装置及び生理信号収集マットレスに関する。
【背景技術】
【０００２】
従来の人体生理信号収集装置は、人体に関する重要な生理信号、例えば心拍、呼吸及び痙攣などの生理信号を取得するために、信号電極と人体の皮膚とを緊密に接触させることにより、筋肉による圧力信号を収集し、電気信号に変換して処理を行う必要がある。
【０００３】
前記人体生理信号収集装置によれば、生理信号の収集を行う過程中に人体の皮膚との緊密な接触が必要となり、使用過程中に利用者にとって不便なところが多いと思われる。また、収集するとき、信号電極を人体の皮膚表面に貼り付ける必要があり、人体の皮膚への貼り付け位置が毎回異なるという原因などで抵抗も同じではないため、収集した信号の強度（振幅）が安定ではなく、希望の生理信号、例えば心拍の強度情報を正確に収集できない恐れがある。
【発明の概要】
【発明が解決しようとする課題】
【０００４】
本発明の主な目的は、波状生理信号収集装置を提供し、生理信号収集の便利性を向上させる。
【課題を解決するための手段】
【０００５】
本発明によれば、波状フレキシブル体、引張力センサー及び信号処理ユニットを含む波状生理信号収集装置を提供する。
【０００６】
前記波状フレキシブル体はフレキシブル基板及び凸フレキシブル体を含み、前記凸フレキシブル体は前記フレキシブル基板上に設置され、人体から受けた圧力を引張力に変換するものであり、前記引張力センサーは前記フレキシブル基板の中に設置され、前記引張力により電気信号を生成するものであり、前記信号処理ユニットは、前記電気信号を処理することにより人体の生理信号を得ることができるものである。
【０００７】
前記凸フレキシブル体のそれぞれが、前記フレキシブル基板の上底面及び下底面に間隔をおいて設置され、波状フレキシブル基板を形成していることが好ましい。
【０００８】
前記引張力センサーが二つの前記凸フレキシブル体の間である離隔エリアに位置していることが好ましい。
【０００９】
前記信号処理ユニットは、
前記アナログ電気信号を増幅させるための信号増幅回路と、
増幅されたアナログ電気信号に対しフィルター処理を行い、必要とする人体の生理信号を取得するためのフィルター回路と、
フィルター処理されたアナログ電気信号をディジタル信号に変換するためのＡ／Ｄ変換回路とを含むことが好ましい。
【００１０】
前記装置は、
前記ディジタル信号を無線パススルーにより出力するための無線パススルー回路をさらに含むことが好ましい。
【００１１】
前記装置は、
電源を供給するための電源ユニットと、
前記電源ユニットを管理するための電源管理ユニットとをさらに含むことが好ましい。
【００１２】
前記電源ユニットはバッテリーを含むことが好ましい。
【００１３】
本発明によれば、少なくとも二つの波状生理信号収集装置及び無線パススルー回路を含む生理信号収集マットレスを提供する。
【００１４】
前記波状生理信号収集装置は、波状フレキシブル体、引張力センサー及び信号処理ユニットを含み、前記波状フレキシブル体は、フレキシブル基板及び凸フレキシブル体を含み、前記凸フレキシブル体は前記フレキシブル基板上に設置され、人体から受けた圧力を引張力に変換するものであり、前記引張力センサーは前記フレキシブル基板の中に設置され、前記引張力により電気信号を生成するものであり、前記信号処理ユニットは、前記電気信号を処理することにより人体の生理信号を得ることができるものであり、
【００１５】
前記無線パススルー回路は、前記ディジタル信号を無線パススルーにより出力するためのものである。
【００１６】
前記凸フレキシブル体のそれぞれが、前記フレキシブル基板の上底面及び下底面に間隔をおいて設置され、波状フレキシブル基板を形成していることが好ましい。
【００１７】
前記引張力センサーが二つの前記凸フレキシブル体の間である離隔エリアに位置していることが好ましい。
【００１８】
本発明によれば、少なくとも二つの波状生理信号収集装置及び無線パススルー回路を含む生理信号収集マットレスを提供する。
【００１９】
前記波状生理信号収集装置は、波状フレキシブル体、引張力センサー及び信号処理ユニットを含み、前記波状フレキシブル体は、フレキシブル基板及び凸フレキシブル体を含み、前記凸フレキシブル体は前記フレキシブル基板上に設置され、人体から受けた圧力を引張力に変換するものであり、前記引張力センサーは前記フレキシブル基板の中に設置され、前記引張力により電気信号を生成するものであり、前記信号処理ユニットは、前記電気信号を処理することにより人体の生理信号を得ることができるものであり、
【００２０】
前記波状フレキシブル体は、前記フレキシブル基板及び凸フレキシブル体が一体成型されて一体化されたものであり、
【００２１】
前記フレキシブル基板は、細長い形状であり、少なくとも上底面及び下底面を備え、前記凸フレキシブル体のそれぞれが前記上底面及び下底面に設置され、
【００２２】
前記無線パススルー回路は、前記ディジタル信号を無線パススルーにより出力する。
【００２３】
前記凸フレキシブル体のそれぞれが前記フレキシブル基板の上底面及び下底面に間隔をおいて設置され、波状フレキシブル基板を形成していることが好ましい。
【００２４】
前記引張力センサーが二つの凸フレキシブル体の間である離隔エリアに位置していることが好ましい。
【発明の効果】
【００２５】
本発明は、波状フレキシブル体により人体圧力を電気信号に変換し処理を行うことで、人体の皮膚と直接接触する形ではない方式で日常生活でも人体の生理信号を取得することができ、生理信号の取得はより便利となる。また、無線技術を利用して取得した生理信号をリモート設備に伝送することにより、信号の収集及び更なる分析または統一的な記憶等の動作が分離し、生理信号の収集がもっと便利となる。
【図面の簡単な説明】
【００２６】
【図１】本発明に係る波状生理信号収集装置の実施例における部品の構成概略図である。
【図２】本発明に係る波状生理信号収集装置の実施例における波状フレキシブル体の物理的構成概略図である。
【図３】本発明に係る波状生理信号収集装置の実施例における波状フレキシブル体の物理的構成の横断面概略図である。
【図４】本発明に係る波状生理信号収集装置の実施例における信号処理ユニットの構成概略図である。
【図５】本発明に係る波状生理信号収集装置の他実施例の構成概略図である。
【図６】本発明に係る生理信号収集マットレスの実施例における構成概略図である。
【発明を実施するための形態】
【００２７】
本発明の目的の実現、機能特徴及び優れた点について、実施例に基づき図面を参照しながら詳しく説明する。
【００２８】
なお、ここで記述の具体的な実施例は、本発明を解釈するためのものに過ぎなく、本発明を限定するものではない。
【００２９】
図１に示すように、本発明に係る波状生理信号収集装置の実施例が提案される。その装置には、波状フレキシブル体１１、引張力センサー１２及び信号処理ユニット１３などを含むことが好ましい。
【００３０】
前記波状フレキシブル体１１は、フレキシブル基板１１１及び凸フレキシブル体１１２を含むことが好ましい。その凸フレキシブル体１１２は、フレキシブル基板１１１上（図３を参照）に設置され、受けられた人体の圧力を引張力に変換するものであり、その引張力センサー１２は、フレキシブル基板１１１の中に設置され、前記引張力により電気信号を生成するものであり、その信号処理ユニット１３は、前記電気信号を処理することにより人体の生理信号を得ることができるものである。前記生理信号は、呼吸、心拍、痙攣及び運動等の信号を含む。
【００３１】
本実施例の実際制作中において、波状フレキシブル体１１は一体化されてもよく、フレキシブル基板１１１及び凸フレキシブル体１１２が一体成型でよい。説明の便利上、この両方を別々にする形態で説明を行った。
【００３２】
図２に示すように、フレキシブル基板１１１が細長い形状であると仮定し、その細長い形状のフレキシブル基板１１１は、少なくとも上底面及び下底面を備え、そして、凸フレキシブル体１１２が当該上底面及び下底面のそれぞれに設置されている。その凸フレキシブル体１１２は縞模様であってもよく、その細長い形状の幅に平行しており、そして、二つの凸フレキシブル体１１２の間に離隔距離が設置され、その二つの凸フレキシブル体１１２により当該離隔エリア１１３が該当する凹みエリアとなっている。そのフレキシブル基板１１１の上底面及び下底面のそれぞれに凸フレキシブル体１１２及び離隔エリア１１３が設置されており、そして、その上底面の離隔エリア１１３は下底面に設置された凸フレキシブル体１１２に対応している一方、その上底面に凸フレキシブル体１１２が設置されたエリアは下底面に設置された離隔エリア１１３に対応していることで、波状フレキシブル体１１基板が形成される。その凸フレキシブル体１１２の横断面は曲面に設定してもよい。。凸フレキシブル体１１２がフレキシブル基板１１１の上底面及び下底面に設置されている形態として、フレキシブル基板１１１の横断面中において、その上底面及び下底面に設置されている凸フレキシブル体１１２の曲面がフレキシブル基板１１１を中心に対称している「正弦曲線」と類似する図示となっていることが好ましい。
【００３３】
このように、凸フレキシブル体１１２が人体からの圧力を受けたとき、その凸フレキシブル体１１２が離隔エリア１１３に対応するように設置されているため，その離隔エリア１１３のフレキシブル基板１１１による引張力が発生することにより、凸フレキシブル体１１２が人体から受けた圧力を引張力に変換する。引張力センサー１２をフレキシブル基板１１１の離隔エリア１１３（図３を参照）に設置してもよく、変換された後の引張力により電気信号が生成する。その電気信号は通常にアナログ信号である。
【００３４】
波状フレキシブル体１１がマットレス、座布団、クッション及びオットマン等の日用雑貨に使われ、利用者が前記日用雑貨を使用するときに利用者の人体圧力を取得するためである。波状フレキシブル体１１が圧力を受けたら、その波状エリアが圧力を引張力に変換することができるため、その波状フレキシブル体１１により人体圧力を引張力に変換することが可能となる。利用者にとって、日常生活にいつでもどこでも使えるようになることは便利である。
【００３５】
図４に示すように、前記信号処理ユニット１３は、信号増幅回路１３１、フィルター回路１３２及びＡ／Ｄ変換回路１３３を含むことが好ましい。その信号増幅回路１３１は、前記アナログ電気信号を増幅させるものであり、そのフィルター回路１３２は増幅されたアナログ電気信号に対しフィルター処理を行い、必要とする人体の生理信号を取得するためのものであり、そのＡ／Ｄ変換回路１３３はフィルター処理されたアナログ電気信号をディジタル信号に変換するものである。
【００３６】
信号増幅回路１３１は、引張力センサー１２に接続してもよく、その引張力センサー１２による電気信号を増幅させることで、その電気信号にフィルター操作を行うためである。その信号増幅回路１３１による電気信号の増幅レベルは、必要に応じて設定してもよい。
【００３７】
フィルター回路１３２は、信号増幅回路１３１に接続してもよく、その信号増幅回路１３１により増幅された電気信号をフィルターする。そのフィルター回路１３２に対し、当該パラメータを設定することにより不要な信号チャネルを濾過し、必要とする電気信号を取得する。例えば、０．７Ｈｚ〜３Ｈｚ以外の信号を濾過し、心拍信号（周波数が通常０．７Ｈｚ〜３Ｈｚである）を取得する。そのフィルター回路１３２は、周波数等のパラメータを設定することにより電気信号をフィルターして必要とする生理信号を取得する。
【００３８】
Ａ／Ｄ変換回路１３３は、フィルター回路１３２に接続してもよく、フィルターを行った電気信号をアナログ信号からディジタル信号に変換する。引張力センサー１２による電気信号は通常にアナログ電気信号であるため、そのフィルターを行った電気信号もアナログ電気信号である。そのＡ／Ｄ変換回路１３３は。そのアナログ電気信号をディジタル信号に変換することができるため、信号に対する更なる処理及び伝送等の動作が便利になる。
【００３９】
図５に示すように、他実施例中において、前記装置は、無線パススルー回路１４をさらに含み、前記ディジタル信号を無線パススルーにより出力する。
【００４０】
人体の生理信号を収集するときの便利性を向上させるため、生理信号の収集及び生理信号の更なる分析または統一的な記憶等を分離させる。更なる分析または統一的な記憶等のために、希望の生理信号を収集した後、無線パススルー回路１４によりその生理信号をリモート設備に伝送する。
【００４１】
前記装置は、電源ユニット（図示せず）及び電源管理ユニット（図示せず）をさらに含み、その電源ユニットは電源を供給するものであり、その電源管理ユニットは前記電源ユニットを管理するものである。
【００４２】
前記電源ユニットは、バッテリーであってもよく、前記装置に電源を供給する。その装置は、前記電源管理ユニットによりそのバッテリーを管理する。
【００４３】
前記電源ユニットは、外部電源に接続するための接続部品であってもよく、外部電源を接続することにより前記装置に電源を供給する。その装置は、前記電源管理ユニットによりその接続部品を管理する。
【００４４】
前記波状生理信号収集装置は、波状フレキシブル体１１により人体圧力を電気信号に変換し処理を行うことで、人体の皮膚と直接接触する形ではない方式で人体の生理信号を取得することになり、生理信号の取得は便利である。また、無線技術を利用して取得した生理信号をリモート設備に伝送することにより、信号の収集及び更なる分析または統一的な記憶等の動作が分離し、生理信号の収集がもっと便利となる。
【００４５】
図６に示すように、本発明に係る生理信号収集マットレスの実施例が提案される。その装置は、少なくとも二つの波状生理信号収集装置及び無線パススルー回路１４を含むことが好ましい。
【００４６】
前記波状生理信号収集装置は、波状フレキシブル体１１、引張力センサー１２及び信号処理ユニット１３を含む。その波状フレキシブル体１１は、フレキシブル基板１１１及び凸フレキシブル体１１２を含み、その凸フレキシブル体１１２はフレキシブル基板１１１上（図３を参照）に設置され、受けられた人体の圧力を引張力に変換するものであり、その引張力センサー１２は、フレキシブル基板１１１の中に設置され、その引張力により電気信号を生成するものであり、その信号処理ユニット１３は、前記電気信号を処理することにより人体の生理信号を得ることができるものであり、無線パススルー回路１４は、前記ディジタル信号を無線パススルーにより出力するものである。前記生理信号は、呼吸、心拍、痙攣及び運動等の信号を含む。
【００４７】
コストの節約のために、二つまたは二つ以上の前記波状生理信号収集装置は一つの無線パススルー回路１４を共有し、ディジタル信号を出力する。
【００４８】
前記少なくとも二つの波状生理信号収集装置における信号処理ユニット１３は、それぞれ違う生理信号を取得し、それぞれ無線パススルー回路１４により出力する。例えば、一つの波状生理信号収集装置は呼吸信号を取得し、もう一つは心拍信号等を取得する。
【００４９】
本実施例の実際制作中において、波状フレキシブル体１１は一体化されてもよく、フレキシブル基板１１１及び凸フレキシブル体１１２が一体成型でよい。説明の便利上、この両方を別々にする形態で説明を行った。
【００５０】
図２に示すように、フレキシブル基板１１１が細長い形状であると仮定し、その細長い形状のフレキシブル基板１１１は、少なくとも上底面及び下底面を備え、そして、凸フレキシブル体１１２が当該上底面及び下底面のそれぞれに設置されている。その凸フレキシブル体１１２は縞模様であってもよく、その細長い形状の幅に平行しており、そして、二つの凸フレキシブル体１１２の間に離隔距離が設置され、その二つの凸フレキシブル体１１２により当該離隔エリア１１３が該当する凹みエリアとなっている。そのフレキシブル基板１１１の上底面及び下底面のそれぞれに凸フレキシブル体１１２及び離隔エリア１１３が設置されており、そして、その上底面の離隔エリア１１３は下底面に設置された凸フレキシブル体１１２に対応している一方、その上底面に凸フレキシブル体１１２が設置されたエリアは下底面に設置された離隔エリア１１３に対応していることで、波状フレキシブル体１１基板が形成される。その凸フレキシブル体１１２の横断面は曲面に設定してもよい。。凸フレキシブル体１１２がフレキシブル基板１１１の上底面及び下底面に設置されている形態として、フレキシブル基板１１１の横断面中において、その上底面及び下底面に設置されている凸フレキシブル体１１２の曲面がフレキシブル基板１１１を中心に対称している「正弦曲線」と類似する図示となっていることが好ましい。
【００５１】
このように、凸フレキシブル体１１２が人体からの圧力を受けたとき、その凸フレキシブル体１１２が離隔エリア１１３に対応するように設置されているため、その離隔エリア１１３のフレキシブル基板１１１による引張力が発生することにより、凸フレキシブル体１１２が人体から受けた圧力を引張力に変換する。引張力センサー１２をフレキシブル基板１１１の離隔エリア１１３（図３を参照）に設置してもよく、変換された後の引張力により電気信号が生成する。その電気信号は通常にアナログ信号である。
【００５２】
波状フレキシブル体１１が圧力を受けたら、その波浪エリアが圧力を引張力に変換することができるため、その波状フレキシブル体１１により人体圧力を引張力に変換することが可能となる。利用者にとって、日常生活にいつでもどこでも使えるようになることは便利である。
【００５３】
図４に示すように、信号処理ユニット１３は、信号増幅回路１３１、フィルター回路１３２及びＡ／Ｄ変換回路１３３を含むことが好ましい。その信号増幅回路１３１は、前記アナログ電気信号を増幅させるものであり、そのフィルター回路１３２は増幅されたアナログ電気信号に対しフィルター処理を行い、必要とする人体の生理信号を取得するためのものであり、そのＡ／Ｄ変換回路１３３はフィルター処理されたアナログ電気信号をディジタル信号に変換するものである。
【００５４】
信号増幅回路１３１は、引張力センサー１２に接続してもよく、その引張力センサー１２による電気信号を増幅させることで、その電気信号にフィルター操作を行うためである。その信号増幅回路１３１による電気信号の増幅レベルは、必要に応じて設定してもよい。
【００５５】
フィルター回路１３２は、信号増幅回路１３１に接続してもよく、その信号増幅回路１３１により増幅された電気信号をフィルターする。そのフィルター回路１３２に対し、当該パラメータを設定することにより不要な信号チャネルを濾過し、必要とする電気信号を取得する。例えば、０．７Ｈｚ〜３Ｈｚ以外の信号を濾過し、心拍信号（周波数が通常０．７Ｈｚ〜３Ｈｚである）を取得する。そのフィルター回路１３２は、周波数等のパラメータを設定することにより電気信号をフィルターして必要とする生理信号を取得する。
【００５６】
Ａ／Ｄ変換回路１３３は、フィルター回路１３２に接続してもよく、フィルターを行った電気信号をアナログ信号からディジタル信号に変換する。引張力センサー１２による電気信号は通常にアナログ電気信号であるため、そのフィルターを行った電気信号もアナログ電気信号である。そのＡ／Ｄ変換回路１３３は、そのアナログ電気信号をディジタル信号に変換することができるため、信号に対する更なる処理及び伝送等の動作が便利になる。
【００５７】
人体の生理信号を収集するときの便利性を向上させるため、生理信号の収集及び生理信号の更なる分析または統一的な記憶等を分離させる。更なる分析または統一的な記憶等のために、希望の生理信号を収集した後、無線パススルー回路１４によりその生理信号をリモート設備に伝送する。
【００５８】
前記装置は、電源ユニット（図示せず）及び電源管理ユニット（図示せず）をさらに含み、その電源ユニットは電源を供給するものであり、その電源管理ユニットは前記電源ユニットを管理するものである。
【００５９】
前記電源ユニットは、バッテリーであってもよく、前記装置に電源を供給する。その装置は、前記電源管理ユニットによりそのバッテリーを管理する。
【００６０】
前記電源ユニットは、外部電源に接続するための接続部品であってもよく、外部電源を接続することにより前記装置に電源を供給する。その装置は、前記電源管理ユニットによりその接続部品を管理する。
【００６１】
前記生理信号収集マットレスは、波状フレキシブル体１１により人体圧力を電気信号に変換し処理を行うことで、人体の皮膚と直接接触する形ではない方式で日常生活でも人体の生理信号を取得することができ、生理信号の取得は便利である。また、無線技術を利用して取得した生理信号をリモート設備に伝送することにより、信号の収集及び更なる分析または統一的な記憶等の動作が分離し、生理信号の収集がもっと便利となる。
【００６２】
以上の記載は、あくまでも本発明の好適な実施例に過ぎなく、本発明の保護範囲はこれに限られることなく、本発明の明細書及び図面内容により制作された同等構成もしくは同等流れの変更、または他の関連技術領域に直接もしくは間接的に応用されることは、本発明の特許保護範囲に含まれると理解されるべきであろう。
【図１】
2014529448.tif 000003
【図２】
2014529448.tif 000004
【図３】
2014529448.tif 000005
【図４】
2014529448.tif 000006
【図５】
2014529448.tif 000007
【図６】
2014529448.tif 000008
【国際調査報告】
2014529448.tif 000009
2014529448.tif 000010
2014529448.tif 000011
2014529448.tif 000012
2014529448.tif 000013
2014529448.tif 000014
2014529448.tif 000015
2014529448.tif 000016